(57)【要約】  【課題】作業腕体の部品を交換することなく複数の異なる作業に対応できる作業機械を提供する。  【解決手段】先端にグラップルあるいはバケットを選択的に取付けるスティックを先端に回動可能に連結したブーム11を、ブーム基端部材21とブーム先端部材22とに分割し、ブーム先端部材22をブーム基端部材21に対して複数の角度で固定部23により選択的に固定する。作業腕体の部品を交換することなくブーム11の角度を複数に変えることができ、複数の異なる作業に対応できる。  【選択図】図１
2006274725.tif 000002
【特許請求の範囲】
【請求項１】
複数の腕部が回動可能に連結された作業腕体と、
作業腕体の先端に作動可能に設けられた作業部とを具備し、
複数の腕部の少なくともいずれか一つが、
第１部材と、
第１部材の先端に連結された第２部材と、
第２部材を第１部材に対して複数の角度で選択的に固定する固定部とを備えている
ことを特徴とする作業機械。
【請求項２】
固定部は、
第１部材の先端に第２部材を回動可能に軸支する軸支部と、
軸支部を中心として第１部材に対して回動させて変更した第２部材の角度を選択的に固定可能な係止部とを有している
ことを特徴とする請求項１記載の作業機械。
【請求項３】
軸支部は、各部材の端部を回動可能に軸支する軸支ピンであり、
係止部は、
軸支ピンを中心とする円周上にそれぞれ位置して第１部材と第２部材とのいずれか一方に設けられた複数の第１ピン穴と、
軸支ピンを中心とする円周上にそれぞれ位置して第１部材と第２部材とのいずれか他方に設けられた複数の第２ピン穴と、
互いに位置合わせされた第１ピン穴と第２ピン穴とに嵌脱自在のロックピンとを備えている
ことを特徴とする請求項２記載の作業機械。
【請求項４】
作業腕体は、
基端側が車両に回動可能に軸支されたブームと、
このブームの先端に回動可能に軸支されたスティックとを備え、
第１部材と第２部材とを有する腕部が、ブームとスティックとのいずれか一方または双方である
ことを特徴とした請求項１乃至３のいずれか記載の作業機械。
【発明の詳細な説明】
【技術分野】
【０００１】
本発明は、車両前部に複数の腕部が回動可能に連結された作業腕体を有する例えば油圧ショベルなどの作業機械に関する。
【背景技術】
【０００２】
従来、例えば油圧ショベルなどの作業機械にあっては、作業装置として、基端が車両に回動可能に軸支されたブームと、このブームの先端に回動可能に設けられたスティックと、このスティックの先端に設けられた作業部すなわちアタッチメントとを備えている。
【０００３】
このような油圧ショベルは、通常の掘削作業仕様のもの、あるいは家屋などの解体作業仕様のものなどがあり、例えば掘削作業仕様の油圧ショベルは、く字状に屈曲された曲がりブームと、ストレート状のスティックとを備え、アタッチメントとしてバケットを用い（例えば、特許文献１参照。）、解体作業仕様の油圧ショベルは、ストレート状のブーム、あるいは基端に対して先端が屈曲されたいわゆるグースネックスティックを使用し、アタッチメントとしてグラップルを用いる（例えば、特許文献２参照。）。
【特許文献１】特開２００４−３５３５３２号公報（図５）
【特許文献２】特開平８−４０６８１号公報（図６−７）
【発明の開示】
【発明が解決しようとする課題】
【０００４】
ところで、特許文献２に記載されているような解体作業仕様の油圧ショベルを、一般的な掘削作業に対応させるためには、アタッチメントをバケットに交換するが、このバケットをグースネックスティックの先端に直接取付けると、バケットの駆動用のリンクの構造が複雑となってしまうため、特許文献１に記載されている掘削作業仕様の油圧ショベルのように、スティックをストレート状のものに交換したり、ブームを曲がりブームに交換したりしなければならない。
【０００５】
すなわち、従来の作業機械では、複数の異なる作業に対応するために、アタッチメントとともに、ブーム、あるいはスティックを、作業を変える毎に交換しなければならないという問題点を有している。
【０００６】
そして、このようにブーム、あるいはスティックを交換するためには、複数の形状のブーム、あるいはスティックを予め用意しなければならず、また、交換作業の際にも、連結部の位置合わせ、すなわち芯出しなどに手間が掛かり、利便性が良好でない。
【０００７】
本発明は、このような点に鑑みなされたもので、作業腕体の部品を交換することなく複数の異なる作業に対応できる作業機械を提供することを目的とするものである。
【課題を解決するための手段】
【０００８】
請求項１記載の発明は、複数の腕部が回動可能に連結された作業腕体と、作業腕体の先端に作動可能に設けられた作業部とを具備し、複数の腕部の少なくともいずれか一つが、第１部材と、第１部材の先端に連結された第２部材と、第２部材を第１部材に対して複数の角度で選択的に固定する固定部とを備えている作業機械である。
【０００９】
請求項２記載の発明は、請求項１記載の作業機械において、固定部が、第１部材の先端に第２部材を回動可能に軸支する軸支部と、軸支部を中心として第１部材に対して回動させて変更した第２部材の角度を選択的に固定可能な係止部とを有しているものである。
【００１０】
請求項３記載の発明は、請求項２記載の作業機械において、軸支部が、各部材の端部を回動可能に軸支する軸支ピンであり、係止部が、軸支ピンを中心とする円周上にそれぞれ位置して第１部材と第２部材とのいずれか一方に設けられた複数の第１ピン穴と、軸支ピンを中心とする円周上にそれぞれ位置して第１部材と第２部材とのいずれか他方に設けられた複数の第２ピン穴と、互いに位置合わせされた第１ピン穴と第２ピン穴とに嵌脱自在のロックピンとを備えているものである。
【００１１】
請求項４記載の発明は、請求項１乃至３のいずれか記載の作業機械において、作業腕体が、基端側が車両に回動可能に軸支されたブームと、このブームの先端に回動可能に軸支されたスティックとを備え、第１部材と第２部材とを有する腕部が、ブームとスティックとのいずれか一方または双方であるものである。
【発明の効果】
【００１２】
請求項１記載の発明によれば、作業腕体の腕部の第２部材を、第１部材に対して複数の角度で固定部にて選択的に固定することで、作業腕体の部品を交換することなく腕部の角度を変えることができ、複数の異なる作業に対応できる。
【００１３】
請求項２記載の発明によれば、第２部材を第１部材の先端に軸支部にて回動可能に軸支し、この軸支部を中心として回動させた第２部材の角度を係止部にて選択的に固定することで、腕部の角度を容易に変化させて固定できる。
【００１４】
請求項３記載の発明によれば、軸支部を軸支ピンとし、係止部を、第１ピン穴、第２ピン穴、および、互いに位置合わせした各ピン穴に嵌脱自在のロックピンとで構成することで、固定部を安価かつ容易に製造できる。
【００１５】
請求項４記載の発明によれば、第１部材と第２部材とを有する腕部を、基端側が車両に回動可能に軸支されたブームとこのブームの先端に回動可能に軸支されたスティックとのいずれか一方または双方とすることで、例えば直線状あるいは屈曲状などの、作業形態に応じた様々な形状のブームあるいはスティックに対応できる。
【発明を実施するための最良の形態】
【００１６】
以下、本発明を図１乃至図３に示された第１の実施の形態を参照しながら詳細に説明する。
【００１７】
図３に作業機械としての油圧ショベルＡを示し、この油圧ショベルＡは、走行可能な下部走行体１と、この下部走行体１の上部に旋回軸受部２を介して旋回可能に設けられた上部旋回体３とを備えた車両４と、この車両４の上部旋回体３に作動可能に設けられた作業装置５とを備え、上部旋回体３には、オペレータの運転空間を覆うキャブ６などが搭載されている。
【００１８】
そして、作業装置５は、上部旋回体３に設けられた腕部としてのブーム11と、このブーム11の先端に回動可能に設けられた腕部としてのスティック12とを有する作業腕体13を備え、この作業腕体13の先端に、図３(a)に示される作業部としてのアタッチメントである解体作業用のグラップル14、あるいは、図３(b)に示される作業部としてのアタッチメントである掘削作業用のバケット15などが選択的に装着される。
【００１９】
ブーム11は、例えば図１および図３(a)に示されるストレートブームとして解体作業に用いられ、図２および図３(b)に示される曲がりブームとして掘削作業にも適用可能なものであり、第１部材としてのブーム基端部材21と、このブーム基端部材21の先端に連結された第２部材としてのブーム先端部材22とを有し、これらブーム基端部材21とブーム先端部材22とが固定部23により複数の角度で選択的に連結固定されている。
【００２０】
ブーム基端部材21は、長尺状に設けられ、上部旋回体３側に回動可能に軸支される被軸支部25を基端側に有し、この基端側から先端側へと上下に幅広となるように拡開状の側面視三角形状に形成されている。また、このブーム基端部材21の先端側の両側面には、伸縮によりブーム11を車両４に対して回動させる流体圧アクチュエータとしての一対のブームシリンダ26のそれぞれの先端部が回動可能に軸支されるシリンダ軸支部27が設けられ、かつ、これらシリンダ軸支部27の腹面側に位置して、ブーム基端部材21の先端にブーム先端部材22を回動可能に軸支する軸支部としての軸支ピン28が設けられ、さらに、これらシリンダ軸支部27の背面側に位置して、軸支ピン28を中心としてブーム基端部材21に対して回動させて変更したブーム先端部材22の角度を選択的に固定可能な係止部29が設けられている。そして、これら軸支ピン28および係止部29により、固定部23が構成されている。
【００２１】
軸支ピン28は、ブーム基端部材21の先端部とブーム先端部材22の基端部とをブーム11の左右幅方向に貫通して設けられた軸支穴31に挿入固定され、係止部29にてブーム基端部材21とブーム先端部材22とを係止固定していない状態でブーム先端部材22をブーム基端部材21に対して回動可能に軸支するものである。
【００２２】
また、係止部29は、ブーム基端部材21の先端部にて軸支穴31を中心とした同一円周Ｃ上に穿設された複数、例えば２つの第１ピン穴としての第１係止穴33a，33bと、ブーム先端部材22の基端部にて軸支穴31を中心とした同一円周Ｃ上に穿設された複数、例えば２つの第２ピン穴としての第２係止穴34a，34bと、これら係止穴33a，33b，34a，34bに嵌脱自在の係止部材としてのロックピン35とを備えている。
【００２３】
第１係止穴33a，33bは、ブーム基端部材21の背面側に位置しており、第１係止穴33bがブーム基端部材21の先端部に設けられ、第１係止穴33aが第１係止穴33bよりも基端側に設けられている。
【００２４】
また、第２係止穴34a，34bは、ブーム先端部材22の背面側に位置しており、第２係止穴34aがブーム先端部材22の基端部に設けられ、第２係止穴34bが第２係止穴34aよりも先端側に設けられている。
【００２５】
一方、ブーム先端部材22は、長尺状であり先細となるブーム先端部材本体41を備え、このブーム先端部材本体41の基端部には、ブーム基端部材21の先端部と連結される一対の連結部42（一方のみ図示）がブーム11の左右幅方向両側に突設され、かつ、伸縮によりスティック12をブーム11に対して回動させる流体圧アクチュエータとしてのスティックシリンダ43の基端部が回動可能に軸支されるシリンダ軸支ブラケット44が背面に設けられ、さらに、ブーム先端部材本体41の先端部に、スティック12の基端側にてこのスティック12の両側に回動可能に軸支される一対の先端軸支部45（一方のみ図示）が設けられている。
【００２６】
連結部42は、ブーム基端部材21の軸支穴31と位置合わせされて軸支ピン28により係止される軸支穴31が腹面側に位置して設けられ、また、第１部材の第１係止穴33a，33bと位置合わせされてロックピン35を嵌脱する第２係止穴34a，34bが背面側に位置して設けられている。さらに、各連結部42は、ブーム11を図１に示されるストレートブームとした際にブーム基端部材21のシリンダ軸支部27との干渉防止用の干渉防止凹部47が切欠き形成されている。
【００２７】
また、スティック12は、図３に示されるように、長尺状に設けられたストレートスティックであり、基端側には、スティックシリンダ43の先端が回動可能に軸支される軸支ブラケット52が突設され、基端側の腹面側がブーム11のブーム先端部材22の先端軸支部45にて回動可能に軸支されている。
【００２８】
そして、スティック12には、伸縮によりグラップル14、あるいはバケット15を作動させる流体圧アクチュエータとしてのアタッチメントシリンダ54の基端部が回動可能に軸支される軸支用ブラケット55が基端側の背面に設けられ、かつ、先端部に、グラップル14、あるいはバケット15が回動可能に軸支されるスティック先端軸支部56が設けられている。
【００２９】
また、グラップル14は、図３(a)に示されるように、スティック12のスティック先端軸支部56に基端側が回動可能に軸支される軸支本体部61と、この軸支本体部61の先端側に回動可能に軸支され互いに連動して開閉する一対の爪部62，62とを有し、一方の爪部62の側部に突設されたブラケット63と軸支本体部61との間に設けられたグラップルリンケージ64にアタッチメントシリンダ54の先端が回動可能に軸支されている。
【００３０】
一方、バケット15は、図３(b)に示されるように、スティック12のスティック先端軸支部56に基端側が回動可能に軸支され、この基端側に突設されたバケット軸支ブラケット66とスティック12の先端部との間に設けられたリンケージ67にアタッチメントシリンダ54の先端が回動可能に軸支されている。
【００３１】
次に、上記第１の実施の形態の作用効果を説明する。
【００３２】
まず、解体作業をするに際しては、図１に示されるように、ブーム11をストレートブームとする。
【００３３】
すなわち、ブーム先端部材22を、軸支ピン28を中心としてブーム基端部材21に対して作業装置５の背面側に回動させ、第１係止穴33aと第２係止穴34aとを互いに位置合わせするとともに、第１係止穴33bと第２係止穴34bとを互いに位置合わせした状態で、これら係止穴33a，34a、および、係止穴33b，34bにロックピン35，35を挿入し、ブーム基端部材21とブーム先端部材22とを解体作業に適した略直線状に連結する。
【００３４】
そして、図３(a)に示されるように、スティック12の先端にグラップル14を回動可能に軸支し、グラップルリンケージ64にアタッチメントシリンダ54の先端を連結して、このアタッチメントシリンダ54の伸縮により爪部62，62を開閉させ、グラップル14により解体作業をする。
【００３５】
一方、掘削作業をするに際しては、図２に示されるように、ブーム11を曲がりブームとする。
【００３６】
すなわち、ブーム先端部材22を、軸支ピン28を中心としてブーム基端部材21に対して作業装置５の腹面側に回動させ、ブーム基端部材21の第１係止穴33bとブーム先端部材22の第２係止穴34aとを互いに位置合わせした状態で、これら係止穴33b，34aにロックピン35を挿入して、ブーム基端部材21とブーム先端部材22とを掘削作業に適した側面視略く字状に連結する。
【００３７】
そして、図３(b)に示されるように、スティック12の先端にバケット15を回動可能に軸支し、リンケージ67にアタッチメントシリンダ54の先端を連結して、このアタッチメントシリンダ54の伸縮によりバケット15をスティック12に対して回動させ、バケット15により掘削作業をする。
【００３８】
このように、上記第１の実施の形態によれば、ブーム先端部材22を、ブーム基端部材21に対して複数の角度で固定部23にて選択的に固定することで、作業腕体13の部品などを交換することなくブーム11の角度を変えることができる。
【００３９】
このため、従来、複数の異なる作業をする際には、それぞれの作業に応じた形状のブームが別個に必要であったのに対して、上記実施の形態では、一つのブーム11で解体作業および掘削作業の両方の作業に対応できる。
【００４０】
具体的に、ブーム先端部材22をブーム基端部材21の先端に軸支ピン28にて回動可能に軸支し、この軸支ピン28を中心として回動させたブーム先端部材22の角度を係止部29にて選択的に固定することで、ブーム11の角度を容易に変化させて固定できる。
【００４１】
また、係止部29を、各係止穴33a，33b，34a，34bと、互いに位置合わせした各係止穴33a，34aおよび各係止穴33b，34bに嵌脱自在のロックピン35とで構成することで、固定部23を安価かつ容易に製造できる。
【００４２】
特に、軸支ピン28を挿入固定した軸支穴31を中心として各係止穴33a，33b，34a，34bを同一円周Ｃ上に配設しているため、軸支ピン28を中心としてブーム先端部材22をブーム基端部材21に対して相対的に回動させた際の位置合わせ、すなわち芯出しが容易にできるので、ロックピン35で容易に固定でき、ブーム11の角度を変更するための作業時間を短縮できる。
【００４３】
そして、このようなブーム11を作業機械に用いることで、複数の作業に容易に対応でき、作業機械の利便性および作業性を向上できるとともに、直線状のストレートブームと屈曲された曲がりブームとのそれぞれに対応できる。
【００４４】
さらに、ブーム11を曲がり形状で用いる掘削作業の場合では、双方の部材21，22を１本のロックピン35で連結しても充分な連結強度が設定されるが、両部材21，22を２本のロックピン35，35で連結してブーム11をストレート形状で用いる解体作業の場合には、ブーム11により高い連結強度が得られる。
【００４５】
次に、図４および図５に基づき、本発明の第２の実施の形態を説明する。なお、上記図１乃至図３に示された第１の実施の形態と同様の構成および作用については、同一符号を付してその説明を省略する。
【００４６】
本実施の形態は、上記第１の実施の形態の軸支穴31と各第１係止穴33a，33bおよび各第２係止穴34a，34bとを、上記第１の実施の形態とは逆の関係に設定したものである。
【００４７】
すなわち、軸支穴31は、シリンダ軸支部27の背面側に位置してブーム基端部材21の先端側およびブーム先端部材22の基端側の連結部42にそれぞれに穿設され、これら軸支穴31に軸支ピン28が挿入固定されている。
【００４８】
また、第１係止穴33a，33bは、ブーム基端部材21の先端側にてシリンダ軸支部27の腹面側に、軸支穴31を中心とする同一円周Ｃ上にそれぞれ設けられている。
【００４９】
同様に、第２係止穴34a，34bは、ブーム先端部材22の基端側の連結部42にて腹面側に、軸支穴31を中心とする同一円周Ｃ上にそれぞれ設けられている。
【００５０】
そして、掘削作業をするに際しては、図５に示されるように、ブーム先端部材22を、軸支ピン28を中心としてブーム基端部材21に対して作業装置５の腹面側に回動させ、第１係止穴33aと第２係止穴34aとを互いに位置合わせするとともに、第１係止穴33bと第２係止穴34bとを互いに位置合わせした状態で、これら係止穴33a，34a、および、係止穴33b，34bにロックピン35，35を挿入し、ブーム基端部材21とブーム先端部材22とを側面視略く字状に連結してブーム11を掘削作業に適した曲がりブームとし、アタッチメントシリンダ54の伸縮によりバケット15をスティック12に対して回動させ、バケット15により掘削作業をする。
【００５１】
一方、解体作業をするに際しては、図４に示されるように、ブーム先端部材22を、軸支ピン28を中心としてブーム基端部材21に対して作業装置５の背面側に回動させ、ブーム基端部材21の第１係止穴33bとブーム先端部材22の第２係止穴34aとを互いに位置合わせした状態で、係止穴33b，34aのそれぞれにロックピン35を挿入して、ブーム基端部材21とブーム先端部材22とを直線状に連結してブーム11を解体作業に適したストレートブームとし、アタッチメントシリンダ54の伸縮により爪部62，62を開閉させ、グラップル14により解体作業をする。
【００５２】
このように、軸支穴31と、各係止穴33a，33b，34a，34bとを上記第１の実施の形態とは各部材21，22の反対側に位置させ、ブーム先端部材22を、ブーム基端部材21に対して複数の角度で固定部23にて選択的に連結固定することにより、上記図１乃至図３に示された実施の形態と同様の作用効果を奏することが可能になる。
【００５３】
また、ブーム11をストレート形状で用いる解体作業の場合では、双方の部材21，22を１本のロックピン35で連結しても充分な連結強度が保たれるが、両部材21，22を２本のロックピン35，35で連結してブーム11を曲がり形状で用いる掘削作業の場合には、ブーム11により高い連結強度が得られる。
【００５４】
次に、図６乃至図８に基づき、本発明の第３の実施の形態を説明する。なお、上記各実施の形態と同様の構成および作用については、同一符号を付してその説明を省略する。
【００５５】
本実施の形態は、上記各実施の形態のブーム11およびスティック12を備えた作業腕体13に代えて、腕部としてのブーム71と腕部としてのスティック72とを備えた作業腕体73を用いるもので、この作業腕体73の先端に、本発明の作業部として図８(a)に示される掘削作業用のバケット15あるいは本発明の作業部として図８(b)に示されるグラップル作業用のクラムシェルバケット74などが選択的に装着される。
【００５６】
すなわち、ブーム71は、図８に示されるように、長尺状に設けられ腹面側にく字状に屈曲された曲がりブームであり、上部旋回体３側に回動可能に軸支される被軸支部75を基端側に有し、屈曲部よりも若干基端側の両側面には、一対のブームシリンダ26（一方のみ図示）のそれぞれの先端部が回動可能に軸支されるシリンダ軸支部76が設けられ、かつ、屈曲部よりも先端側の背面には、スティックシリンダ43の基端部が回動可能に軸支されるシリンダ軸支ブラケット77が設けられ、また、先端部に、スティック72の基端側にてその両側部を回動可能に軸支する一対の先端軸支部78（一方のみ図示）が設けられている。
【００５７】
一方、スティック72は、例えば図６および図８(a)に示されるストレートスティックとして掘削作業に用いられ、図７および図８(b)に示されるグースネックスティックとしてグラップル作業にも適用可能なものであり、第１部材としてのスティック基端部材81と、このスティック基端部材81の先端に連結された第２部材としてのスティック先端部材82とを有し、これらスティック基端部材81とスティック先端部材82とが固定部83により複数の角度で選択的に連結固定されている。
【００５８】
スティック基端部材81は、長尺状に設けられ、基端側にて腹面側の位置がブーム71の先端軸支部78に回動可能に軸支されている。また、このスティック基端部材81には、スティックシリンダ43の先端が回動可能に軸支される軸支ブラケット85が基端側に突設され、かつ、アタッチメントシリンダ54の基端部が回動可能に軸支される軸支用ブラケット86が基端側の背面に設けられている。
【００５９】
さらに、スティック基端部材81の先端側の側部には、スティック先端部材82を回動可能に軸支する軸支部としての軸支ピン87が腹面側に位置して設けられ、さらに、この軸支ピン87を中心としてスティック基端部材81に対して回動させて変更したスティック先端部材82の角度を選択的に固定可能な係止部88が背面側に位置して設けられている。そして、これら軸支ピン87および係止部88により、固定部83が構成されている。
【００６０】
軸支ピン87は、スティック基端部材81の先端部とスティック先端部材82の基端部とをスティック72の左右幅方向に貫通して設けられた軸支穴91に挿入して固定され、係止部88にてスティック基端部材81とスティック先端部材82とを係止固定していない状態でスティック先端部材82をスティック基端部材81に対して回動可能に軸支するものである。
【００６１】
また、係止部88は、スティック基端部材81の先端部にて軸支穴91を中心とした同一円周Ｃ上に穿設された複数、例えば２つの第１ピン穴としての第１係止穴93a，93bと、スティック先端部材82の基端部にて軸支穴91を中心とした同一円周Ｃ上に穿設された複数、例えば２つの第２ピン穴としての第２係止穴94a，94bと、これら係止穴93a，93b，94a，94bに嵌脱自在の係止部材としてのロックピン95とを備えている。
【００６２】
第１係止穴93a，93bは、スティック基端部材81の背面側に位置しており、第１係止穴93aがスティック基端部材81の先端部に設けられ、第１係止穴93bが第１係止穴93aよりも基端側に設けられている。
【００６３】
また、第２係止穴94a，94bは、スティック先端部材82の背面側に位置しており、第２係止穴94bがスティック先端部材82の基端部に設けられ、第２係止穴94aが第２係止穴94bよりも先端側に設けられている。
【００６４】
一方、スティック先端部材82は、長尺状でかつ先細状に形成されており、基端部背面側に第２係止穴94a，94bがそれぞれ穿設され、先端部には、バケット15あるいはクラムシェルバケット74が回動可能に軸支されるスティック先端軸支部96が設けられている。
【００６５】
また、クラムシェルバケット74は、スティック先端軸支部96に回動可能に軸支されるバケット被軸支部97と、このバケット被軸支部97から突設された駆動部98と、この駆動部98の先端に開閉可能に設けられた一対のバケット部99，99とを備えている。
【００６６】
そして、駆動部98は、図示されない油圧配管を介して作動油が給排されることにより伸縮される図示されない油圧シリンダを内部に備え、この油圧シリンダの伸縮によりバケット部99，99を開閉動作させる。
【００６７】
次に、上記第３の実施の形態の作用効果を説明する。
【００６８】
まず、掘削作業をするに際しては、図６および図８(a)に示されるように、スティック72をストレートスティックとする。
【００６９】
すなわち、スティック先端部材82を、軸支ピン87を中心としてスティック基端部材81に対して作業装置５の背面側に回動させ、第１係止穴93aと第２係止穴94aとを互いに位置合わせするとともに、第１係止穴93bと第２係止穴94bとを互いに位置合わせした状態で、これら係止穴93a，94a、および、係止穴93b，94bにそれぞれロックピン95を挿入し、スティック基端部材81とスティック先端部材82とを掘削作業に適した略直線状に連結する。
【００７０】
そして、図８(a)に示されるように、スティック先端部材82の先端にバケット15を回動可能に軸支し、リンケージ67にアタッチメントシリンダ54の先端を連結して、このアタッチメントシリンダ54の伸縮によりバケット15をスティック72に対して回動させ、バケット15により掘削作業をする。
【００７１】
一方、グラップル作業をするに際しては、図７および図８(b)に示されるグースネックスティックとすることにより、スティック72のスティック基端部材81が水平よりも上側に傾斜した際に、スティック基端部材81やスティック先端部材82とクラムシェルバケット74あるいはバケット被軸支部97などとの干渉防止に適したものとしている。
【００７２】
すなわち、スティック先端部材82を、軸支ピン87を中心としてスティック基端部材81に対して作業装置５の腹面側に回動させ、スティック基端部材81の第１係止穴93aとスティック先端部材82の第２係止穴94bとを互いに位置合わせした状態で、これら係止穴93a，94bにロックピン95を挿入して、スティック基端部材81とスティック先端部材82とをグラップル作業に適した側面視略く字状に連結する。
【００７３】
そして、図８(b)に示されるように、スティック先端部材82の先端にクラムシェルバケット74を軸支し、図示されない油圧配管をクラムシェルバケット74の駆動部98に連結して、この油圧配管を介して給排される作動油により駆動部98の油圧シリンダを伸縮させてバケット部99，99を開閉させ、クラムシェルバケット74によりグラップル作業をする。
【００７４】
上述したように、上記第３の実施の形態によれば、スティック先端部材82を、スティック基端部材81に対して複数の角度で固定部83にて選択的に固定するなど、上記各実施の形態と同様の構成を有することにより、油圧ショベルＡのスティック72を複数の角度で選択的に固定可能とすることで、直線状のストレートスティックと屈曲されたグースネックスティックとのそれぞれに対応できる。
【００７５】
さらに、スティック72をグースネック形状で用いるグラップル作業の場合では、双方の部材81，82を１本のロックピン95で連結しても充分な連結強度が設定されるが、両部材81，82を２本のロックピン95，95で連結してスティック72をストレート形状で用いる掘削作業の場合には、スティック72により高い連結強度が得られる。
【００７６】
次に、図９および図１０に基づき、作業機械の第４の他の実施の形態を説明する。なお、上記第３の実施の形態と同様の構成および作用については、同一符号を付してその説明を省略する。
【００７７】
本実施の形態は、図９に示されるストレートスティックによる掘削作業と、図１０に示されるグースネックスティックによるグラップル作業との双方に対応が可能なものであり、上記第３の実施の形態の軸支穴91と各係止穴93a，93bおよび各係止穴94a，94bとを、上記第３の実施の形態とは逆の関係にしたものである。
【００７８】
すなわち、軸支穴91は、作業装置５の背面側に位置してスティック基端部材81の先端側およびスティック先端部材82の基端側にそれぞれに穿設され、これら軸支穴91に軸支ピン87が挿入固定されている。
【００７９】
また、第１係止穴93a，93bは、スティック基端部材81の先端側にて腹面側に、軸支穴91を中心とする同一円周Ｃ上にそれぞれ設けられている。
【００８０】
同様に、第２係止穴94a，94bは、スティック先端部材82の基端側にて腹面側に、軸支穴91を中心とする同一円周Ｃ上にそれぞれ設けられている。
【００８１】
そして、グラップル作業をするに際しては、図１０に示されるように、スティック先端部材82を、軸支ピン87を中心としてスティック基端部材81に対して作業装置５の腹面側に回動させ、第１係止穴93aと第２係止穴94aとを互いに位置合わせするとともに、第１係止穴93bと第２係止穴94bとを互いに位置合わせした状態で、これら係止穴93a，94a、および、係止穴93b，94bにそれぞれロックピン95を挿入し、スティック基端部材81とスティック先端部材82とを側面視で略く字状に屈曲した状態に連結してスティック72をグラップル作業に適したグースネックスティックとし、油圧配管を介して給排される作動油により駆動部98の油圧シリンダを伸縮させてバケット部99，99を開閉させ、クラムシェルバケット74によりグラップル作業をする。
【００８２】
一方、掘削作業をするに際しては、図９に示されるように、スティック先端部材82を、軸支ピン87を中心としてスティック基端部材81に対して作業装置５の背面側に回動させ、スティック基端部材81の第１係止穴93aとスティック先端部材82の第２係止穴94bとを互いに位置合わせした状態で、係止穴93a，94bにロックピン95を挿入し、スティック基端部材81とスティック先端部材82とを直線状に連結してスティック72を掘削作業に適したストレートスティックとし、アタッチメントシリンダ54の伸縮によりバケット15をスティック12に対して回動させ、バケット15により掘削作業をする。
【００８３】
このように、軸支穴91と、各係止穴93a，93b，94a，94bとを上記第３の実施の形態とは各部材81，82の反対側に位置させ、スティック先端部材82を、スティック基端部材81に対して複数の角度で固定部83にて選択的に連結固定することにより、上記第３の実施の形態と同様の作用効果を奏することが可能になる。
【００８４】
また、スティック72をストレート形状で用いる掘削作業の場合では、双方の部材81，82を１本のロックピン95で連結しても充分な連結強度が保たれるが、両部材81，82を２本のロックピン95，95で連結してスティック72をグースネック形状で用いるグラップル作業の場合には、スティック72により高い連結強度が得られる。
【００８５】
なお、上記各実施の形態において、第１係止穴および第２係止穴で説明した本発明の第１ピン穴および第２ピン穴は、それぞれ３つ以上設ける構成とすることも可能である。この場合には、ブーム、あるいはスティックを、より多数の角度に選択的に固定でき、より多数の異なる作業形態に対応可能となる。
【００８６】
また、作業部は、上記グラップル、バケット、あるいはクラムシェルバケットに限らず、例えば砕石用のブレーカなど、他の様々なものと取替えることで、所望の作業に対応できる。
【００８７】
さらに、本発明をブームとスティックとの双方に適用して組み合わせる構成も可能である。この場合には、ブームとスティックとのいずれも、ストレート形状および曲がり形状に限らず、さらに多数の異なる作業に対応した様々な形状とすることができ、利便性が一層向上する。
【００８８】
そして、作業腕体は、３つ以上の複数の腕部で構成することもできる。
【００８９】
また、本発明は、油圧ショベルだけでなく、他の様々な作業機械あるいはクレーンなどにも適用可能である。
【図面の簡単な説明】
【００９０】
【図１】本発明に係る作業機械の第１の実施の形態のストレートブームを示す側面図である。
【図２】同上作業機械の曲がりブームを示す側面図である。
【図３】(a)は同上ストレートブームを備えた作業機械を示す説明側面図、(b)は同上曲がりブームを備えた作業機械を示す説明側面図である。
【図４】本発明に係る作業機械の第２の実施の形態のストレートブームを示す側面図である。
【図５】同上作業機械の曲がりブームを示す側面図である。
【図６】本発明に係る作業機械の第３の実施の形態のストレートスティックを示す側面図である。
【図７】同上作業機械のグースネックスティックを示す側面図である。
【図８】(a)は同上ストレートスティックを備えた作業機械を示す説明側面図、(b)は同上グースネックスティックを備えた作業機械を示す説明側面図である。
【図９】本発明に係る作業機械の第４の実施の形態のストレートスティックを示す側面図である。
【図１０】同上作業機械のグースネックスティックを示す側面図である。
【符号の説明】
【００９１】
Ａ    作業機械としての油圧ショベル
11，71    腕部としてのブーム
12，72    腕部としてのスティック
13，73    作業腕体
14    作業部としてのグラップル
15    作業部としてのバケット
21    第１部材としてのブーム基端部材
22    第２部材としてのブーム先端部材
23，83    固定部
28，87    軸支部としての軸支ピン
29，88    係止部
33a，33b，93a，93b    第１ピン穴としての第１係止穴
34a，34b，94a，94b    第２ピン穴としての第２係止穴
35，95    ロックピン
74    作業部としてのクラムシェルバケット
81    第１部材としてのスティック基端部材
82    第２部材としてのスティック先端部材
【図１】
2006274725.tif 000003
【図２】
2006274725.tif 000004
【図３】
2006274725.tif 000005
【図４】
2006274725.tif 000006
【図５】
2006274725.tif 000007
【図６】
2006274725.tif 000008
【図７】
2006274725.tif 000009
【図８】
2006274725.tif 000010
【図９】
2006274725.tif 000011
【図１０】
2006274725.tif 000012